(57)【特許請求の範囲】
【請求項１】
ペット用のトイレであって、
上部開口を有する外容器本体と、
上記外容器本体内に内装されてなり、底部中央部分に網目状体を形成してなると共に、上記網目状体の上に砂を設けられる内容器本体と、
上記内容器本体の上端開口部に内装され、周縁全体にわたってペットが足を載せられるように容器長手方向の前後に長軸を向けた楕円形をなす排泄用の穴部を中央部のみに有する蓋部とからなり、
上記蓋部の上記穴部の長軸方向の周縁端と上記蓋部の周縁端との最短長さ及び上記蓋部の上記穴部の短軸方向の周縁端と上記蓋部の周縁端との最短長さが、５〜８ｃｍであり、
上記容器長手方向の上記蓋部の内寸に対する上記穴部の長軸寸法の割合が、５６〜６０％であると共に、
上記容器短手方向の上記蓋部の内寸に対する上記穴部の短軸寸法の割合が、４０〜４７％である
ことを特徴とするペット用トイレ。
【請求項２】
請求項１において、
上記蓋部の上面側に、周縁全体にわたってペットが足を載せられるように排泄用の穴部を中央部のみに形成してなると共に砂落とし用の細孔を周縁全体にわたって有するマットを設置してなる
ことを特徴とするペット用トイレ。
【請求項３】
請求項１において、
上記蓋部に砂落とし用の細孔又は切り欠きを設けた
ことを特徴とするペット用トイレ。
【発明の詳細な説明】
【０００１】
【発明の属する技術分野】
本発明は例えばネコ等のペット用のトイレに関する。
【０００２】
【従来の技術】
近年、愛玩動物として室内においてネコ等のペットを飼育する人口が増大している。
【０００３】
しかしながら、ペット自身では水洗トイレを使用することができないので、人間が介在して排泄物を処理する必要があり、その処理には手間と時間がかかるという問題がある。
すなわち、ネコの本能に根ざした習性は、排泄の際には砂を必要とし、室内で飼育する場合でも戸外に近いトイレを持ち込まざるを得ない状況にある。
【０００４】
図１４は従来のネコのトイレの一例であり、砂トレイ０１内に砂０２を入れてトイレとして、そこでネコの用を足すようにしている。
【０００５】
【発明が解決しようとする課題】
このため、室内において、臭気や衛生面において種々の提案がなされているが、排泄物の処理やトイレの構造等においては、未だ以下のような問題がある。
【０００６】
（１）トイレの置き場所はかなりのスペースを必要とするので、狭い住宅事情では、置き場所に困るという問題がある。
【０００７】
（２）毎日のトイレにおける糞尿の始末の量が多く、ゴミ出しに手間がかかるという問題がある。例えば吸水性の砂により、尿の始末をする場合には、尿を吸収した砂が大きく固まり、ゴミ処理量が増大するという問題がある。
【０００８】
（３）また、特にネコの場合には、排泄には砂を必要とするので、砂の消費量が多く、この結果、室内に持ち込む砂量も膨大であり、保管場所の問題も発生する。
【０００９】
（４）また、図１４に示した砂トレイ０１内に砂０２を入れてトイレとするような場合には、直接砂０２にネコが接触するので、ネコの足が汚れてしまい（特に下痢時にはひどい場合がある）、室内が汚れる場合がある。
【００１０】
（５）また、用を足す際等に、トレイ０１の周囲に砂０２が飛び散り、砂の掃除をする必要があり、問題である。
【００１１】
（６）さらに、室内のインテリア性を重視するような場合に、上記砂０２を入れたトレイ０１をそのまま置いた場合にはインテリア性に乏しいという問題もある。
【００１２】
本発明はこれら従来技術の課題を解決すべくなされたもので、例えばネコ等のペットが排泄する際に、室内を砂等で汚す量を最小限に抑え、設置スペースのコンパクト化を図ったペット用トイレを提供することを課題としている。
【００１３】
【課題を解決するための手段】
前記課題を解決する、第１の発明は、ペット用のトイレであって、上部開口を有する外容器本体と、上記外容器本体内に内装されてなり、底部中央部分に網目状体を形成してなると共に、上記網目状体の上に砂を設けられる内容器本体と、上記内容器本体の上端開口部に内装され、周縁全体にわたってペットが足を載せられるように容器長手方向の前後に長軸を向けた楕円形をなす排泄用の穴部を中央部のみに有する蓋部とからなり、上記蓋部の上記穴部の長軸方向の周縁端と上記蓋部の周縁端との最短長さ及び上記蓋部の上記穴部の短軸方向の周縁端と上記蓋部の周縁端との最短長さが、５〜８ｃｍであり、上記容器長手方向の上記蓋部の内寸に対する上記穴部の長軸寸法の割合が、５６〜６０％であると共に、上記容器短手方向の上記蓋部の内寸に対する上記穴部の短軸寸法の割合が、４０〜４７％であることを特徴とするペット用トイレにある。
【００１５】
第２の発明は、第１の発明において、上記蓋部の上面側に、周縁全体にわたってペットが足を載せられるように排泄用の穴部を中央部のみに形成してなると共に砂落とし用の細孔を周縁全体にわたって有するマットを設置してなることを特徴とするペット用トイレにある。
【００１６】
第３の発明は、第１の発明において、上記蓋部に砂落とし用の細孔又は切り欠きを設けたことを特徴とするペット用トイレにある。
【００１７】
【発明の実施の形態】
以下、本発明の実施の形態を説明するが、本発明はこれに限定されるものではない。
【００１８】
以下の実施の形態においては、ペットとしてネコを例にして説明するが、本発明はネコ用のトイレに限定されるものではない。
【００１９】
［第１の実施の形態］
図１はペット用トイレの概略図であり、図２はその展開図であり、図３は使用状態を示す図である。
【００２０】
これらの図面に示すように、本実施の形態にかかるペット用トイレ１０は、上部開口を有する外容器本体１１（以下「外容器」という）と、該外容器１１内に内装されてなり、且つ底面に開口部１２を設け、該開口部１２に網状体１３を設けてなると共に該網状体１３の上側に砂１４を設けてなる内容器本体（以下「内容器」という）１５と、上記内容器１５の開口部に内装され、中央部に排泄用の穴部１６を有する蓋部１７とからなるものである。
【００２１】
本実施の形態では、上記蓋部１７の周囲を覆うと共に、容器長手方向の前後にペットの入出用の開口部１８Ａ，１８Ｂを有するガード部材１９を該蓋部１７に着脱自在に一体に設けている。上記ガード部材１９を設けることで、ねこが排泄する際の姿勢等の環境が定まることができる。
【００２２】
また、上記蓋部１７の上面側には、蓋部１７の穴部１６と同形状の排泄用の穴部２０ａを形成すると共に複数の砂落とし用の細孔２０ｂを有する砂落としマット２０が設置されている。
【００２３】
また、上記砂落としマット２０の裏面側には脚部２０ｃが設けられており、蓋部１７の表面と隙間を形成して、ネコがマットに載った際に足等に付着している砂１４が蓋部１７の上面１７ａ側に落ちるようにしている。
【００２４】
また、蓋部１７の上面側にたまった砂１４は、該蓋部１７を傾けて又はブラシ等を用いて砂場へ戻すようにすればよい。なお、蓋部１７の一部に砂落とし用の細孔又は切り欠き等を設けるようにしてもよい。
【００２５】
上記外容器１１の底面の内容器１５との空間２１内には、排泄した尿を吸収する吸水手段としての吸水シート２２が挿入されている。上記吸水シート２２は外容器１１内に内容器１５を重ね合わせて一体にする際に、シートの端部を両者の壁面の間に挟み込むようにして一体とするようにすればシート２２がずれるようなことがなく、好ましい。
【００２６】
また、上記吸水シート２２は内容器１５に形成された網状体１３と当接している方が好ましい。これは、排尿等により砂１４に吸収された水分が面接触させることにより移行しやすいからである。なお、水分の移行の際には、網状体１３があるので、砂１４が吸水シート２２側に落ちることはない。
【００２７】
上記吸水シート２２を用いることにより、排泄物中の水分が吸収され、砂１４上の排泄物の減溶化を図ることができる。この結果、一般に吸水シートを用いて尿を吸収させる場合には、１日１回シートを取り替える必要があるが、本発明のトイレに吸水シートを用いる場合には、１頭（中型ネコ）の場合、３〜４日に１回の交換で済むようになる。
【００２８】
また、図２に示すように、上記蓋部１７及び砂落としマット２０の底部の一部にはスコップ立て用切欠部２６ａ，２６ｂが形成されており、糞を取り除くスコップを収納するようにしている。
【００２９】
ここで、トイレの蓋部１７の一般的なサイズを図１３に示す。
このサイズは一例であり、本発明はこれに限定されるものではない。
大は、大型ペット用で約６kg以上のものである。
中は、中型ペット用で約２〜６kgのものである。
小は、小型ペット用で約２kg以下のものである。
なお、従来のペット用のトイレのサイズは３８〜３９cm×４８〜４９cm前後であり、約７割程度のコンパクト化を図ることができた。
【００３０】
上記トイレにおいて、ネコが用を足すには、先ずネコ２５が砂落としマット２０の上に乗り込むが、この際、穴部２０ａから砂１４に足で触ることができる。これによりネコの習性としての排泄時に砂があることが確認でき、排泄前に足で砂を掘る行動もとれ、ネコが安心して用が足せることになる。
【００３１】
また、排泄の際には、砂落としマット２０上にのり、穴から排泄物を排泄するので、ネコの足等が砂１４に直接接することがない。この結果、ネコの足等に排泄物がつきにくく、衛生的である。また、砂を掘っても蓋部１７があるので、容器外に砂１４が飛び散るようなことはない。
【００３２】
なお、ガード部材１９の開口部１８Ａ，１８Ｂの出入り口開口の下縁部分には把手を兼用する張出片１９ａが設けられており、当該張出片１９ａは、ネコ２５が用を足すときに前足を置く場合もある（図３参照）。
【００３３】
すなわち、本発明によれば、ネコは砂１４の上で直接排泄をするのではなく、排泄する際に、該排泄物を覆う又は隠す手段として砂１４を必要とするが、砂１４が内容器１５内にあることで、ネコは安心して排泄作用をスムースに行うことができる。
【００３４】
このように、本発明により、ネコ等のペットが直接砂に接することなく、排泄を可能とし、また、排泄前後に砂を掘った場合であっても、容器内で砂がかき回されるのみであり、砂が周囲に飛び散ることはない。
【００３５】
また、ネコ２５が砂１４に接触した場合であっても砂落としマット２０を設けることにより、砂１４は細孔２０ｂにより蓋部２０の上面側に落ちるので、容器から外に出る際には、足の裏には砂が殆ど付着していない状態となり、室内を砂１４で汚すことがなくなる。
【００３６】
また、砂の上で用を足すことがないので、下痢のときにも足につきにくい。また、砂がほとんど尿を吸わないので、わずかな砂にまぶされた糞だけを捨てればすむことになる。
【００３７】
ここで、本発明のトイレに使用する砂は特に限定されるものではないが、従来の砂の量より、少なくすることができる。
【００３８】
また、一般的な砂（通常のもの）を用いることもできるが、通常の砂は脱臭作用がないので、好ましくはペット用の砂を用いる方がよい。
【００３９】
さらに、この砂としては、尿を吸収しても固まらない性質を有するものの方が尿が直ちに吸水シート側へ移行するのでよい。
【００４０】
また、排泄物は当該砂により水分が浸透し、減容化されることになる。
【００４１】
このように、糞の処理と尿の処理とを分けられるような構造とするので、砂１４の交換や処理の手間を軽減させることができる。
【００４２】
なお、本実施の形態においては、小動物用トイレ砂の『シリカドライ』（商品名：ジョンソントレーディング株式会社社製）のものを用いた。この砂は耐水加工が施されており、水分（尿）を吸っても粒がわれずに長持ちするものである。また、吸収粒の細孔径が大きいので素早く多量に尿が吸収されるものであり、本発明のネコ用トイレに用いて好適なものである。
【００４３】
上記トイレの使用方法について説明する。
ネコは砂の臭いをかいで、自分のトイレかどうかを確認するので、最初は蓋部１７を外して、直接砂の上で用を足し慣れさせる。
通常は３日〜４日、長くても１週間程度でよい。
また、砂場に、従来使用していた尿のついた砂を中央に置く。
慣れるまでは、砂の量を多くしておき、蓋部の上に設けたマットの上で出きるようになったら、徐々に砂の量を減らし、深さ３〜５cm位にする（中型ペット用の場合）。
飼っている頭数によるが、吸水シート２２は１頭で４〜５日程度、３頭で２日位使用して取り替えるようにすればよい。なお、これは個体差があるので変動がある。
糞は適宜、スコップなどで捨てるようにすればよい。
砂は置き場所などの湿度にもよるが、３頭の場合で２週間から３週間程度取り替え不要であった。なお、臭いが外にもれるようなら取り替えるようにすればよい。
順応性には、個体差があるが、１１頭中１０頭が１週間から４週間程度で慣れた。
【００４４】
［第２の実施の形態］
図４は第２の実施の形態にかかるペット用トイレの概略図である。
【００４５】
本実施の形態では、蓋部１７が中央の穴部１６に向かって斜めに傾斜しており、砂マット２０により落とされた砂１４の砂場への流れ落ちを容易としている。
この蓋部１７の斜め形状に合わせるように、砂落としマット２０の脚部２０ｃも穴部１６側では長くしており、砂落としマット２０の水平状態を保つようにしている。
【００４６】
［第３の実施の形態］
図５は第３の実施の形態にかかるペット用トイレの概略図である。
【００４７】
本実施の形態にかかるトイレは、第１の実施の形態にかかる蓋部１７とガード部１９とが一体になったガード部を備えた蓋部３１としており、該蓋部３１が内容器１５の開口部に設けられるようになっている。
【００４８】
また、上記蓋部３１は中央開口３１ａに向かって斜めに傾斜しており、砂落としマット３２により落とされた砂１４が砂場に流れ落ちるようになっている。
【００４９】
上記砂落としマット３２の中央開口部分３２ａは蓋部３１の開口３１ａよりも下側になるように形成されており、縁に糞尿が付着した場合でも、当該マットの開口部分３２ａを掃除するだけでよいようにしている。
【００５０】
また、開口部分３２ａは滑りやすいラウンドした形状とし、例え縁に糞尿が付着した場合でも、流れやすく、また掃除もし易いものとしている。
【００５１】
また、上記内容器１５と外容器１１とはその開口部分に外側に張り出すフランジ部分１１ａ，１５ａを設けると共に、両者の間に隙間を作らず、密閉性をもたせることで、排泄物の臭いを容器内に閉じこめ、且つ、分離する際には上記フランジにより分離を容易にしている。
【００５２】
また、蓋部３１は、内容器１５の長手方向の側面に設けたストッパー３３により、フランジ１５ａ部分と一体に固定するようになっており、ペットが砂を掘る場合にも、容器ががたつかないようにしている。
【００５３】
さらに、外容器の一部には、透明なのぞき窓３４を設け、内部の吸水シート２２の吸水具合を確認できるようにしている。これにより、吸水シート２２の取り替え時期を容易に判断することができる。
【００５４】
この際、シートは吸水状態に応じて識別できるようなものとするのがよい。例えば、色により、吸水状態を確認するものであるシートとするのがよい。
【００５５】
［第４の実施の形態］
図６は第４の実施の形態にかかるトイレの概略図である。
本実施の形態のトイレでは、容器本体上面側を覆うカバー３５がガード部とともに一体に形成されている。なお、このカバー３５部分を分離可能としてもよい。
【００５６】
［第５の実施の形態］
図７乃至９は第５の実施の形態にかかるトイレの概略図である。
本実施の形態のトイレは、上記内容器１５に穴部を形成することなく、網状体を形成する代わりに、図８に示すように、格子状部１５ｂを一体に形成するようにしている。この一体成形は樹脂等により容易に製造が可能である。
【００５７】
また、本実施の形態においては、上記外容器１１と内容器１５とが両者のフランジ部１１ｂ，１５ｃで水密状態に一体となると共に、着脱自在としてなるようにしている。
これにより、空間２１内の臭気が外部に直接洩れることがなくなる。
【００５８】
また、内容器１５のフランジ部１５ｃには上向き凸部１５ｄが形成されており、上記蓋部１７の周囲に形成された凹部１７ｂに着脱自在に一体に嵌合している。また、上記蓋部１７の周囲には上向き凸部１７ｃが形成されており、上記ガード部材１９の周囲に形成された凹部１９ｂに着脱自在に一体に嵌合している。
上記着脱自在の嵌合部が上向き凸部１５ｄ、１７ｃとしているので、凹部を形成した場合と異なり、凹部内に砂１４が入り込むことがなく、着脱が確実となる。
【００５９】
なお、本実施の形態では、外容器１１の底部裏面には脚部１１ｃが一体に形成されており、該脚部１１ｃには滑り止め１１ｄが嵌め込まれており、容易に滑ることを防止している。
【００６０】
また、本実施の形態の砂落としマット３２は、図９に示すように、周囲に所定間隔で切り欠き３２ｃを設けており、砂の払い落としを容易にしている。
【００６１】
また、上記砂落としマット３２には、コーナ部の一部にコナー切欠き部３２ｄを設け、その着脱を容易にしている。
【００６２】
［第６の実施の形態］
図１０は第６の実施の形態にかかるトイレである。
本実施の形態にかかるトイレは檻４０の内部に設けられているものである。
本実施の形態の場合には、第１の実施の形態で示した外容器１１及び内容器１５を引出式の容器４１としており、砂１４の交換や、容器内の排泄物や吸水シート２２の交換が容易なようにしている。
【００６３】
また、上記引出の手前側には、空間部を設け、吸水シート、砂及びスコップ等を収納可能なようにしてもよい。
【００６４】
［第７の実施の形態］
図１１は第７の実施の形態にかかるトイレである。
本実施の形態にかかるトイレは、テーブル５０の内部にペット用トイレを収納したものである。
テーブル５０は、脚部５１に設けたキャスター５２により移動自在としており、キャビネット５３内に、図１に示したペット用トイレ１０が収納されている。
キャビネット５３の側面には開口５４が対向して形成されており、該開口５４には、張出片５５が形成されて、ネコの出入りを容易にしている。
テーブルの代わりに本棚などとしてもよい。
【００６５】
［第８の実施の形態］
図１２は第８の実施の形態にかかるトイレはアスレチックハウス内にペット用トイレを収納したものである。
アスレチックハウス６０の屋根６１には、爪とぎ部６２が設けられており、ハウスの側面には開口６３が対向して形成されており、該開口６３には、張出片６４が形成されて、ネコの出入りを容易にしている。
また、出入り口の前面側にはマット６５が設けられている。
さらに、運動用にハウスの一側面側には、テーブル６６が設けられている。
【００６６】
なお、上記実施の形態においては、ペットとしてネコを例にして説明したが、本発明はこれに限定されるものではなく、室内で飼育する小動物用のトイレとして使用が可能である。
【００６７】
【発明の効果】
以上のことより、本発明によれば、以下の効果を奏する。
（１）コンパクトなペット用トイレを提供でき、狭い住宅内でも置き場所に困ることがない。また、コンパクトなので使う砂の量も軽減される。
【００６８】
（２）排泄物の始末が簡易になり、ゴミ出しに手間がかかることが解消される。
【００６９】
（３）また、ネコは砂の上で直接排泄をするのではなく、排泄する際に、該排泄物を覆う又は隠す手段として砂を必要とするが、砂が内容器内にあることで、ネコは安心して排泄作用をスムースに行うことができる。
【００７０】
（４）また、排泄された排泄物は吸水性の砂を介して、吸水シート側に移行するので、砂の交換頻度を軽減できる。
さらに、砂の交換頻度が少なくなるので、砂の消費量も軽減することができ、この結果、室内に持ち込む砂量も軽減でき、保管場所の省スペース化を図ることができる。
【００７１】
（５）従来の砂トレイ内に砂が設けてある場合と異なり、蓋部及びガードがあることで、トレイの周囲に砂が飛び散ることが解消される。
【００７２】
（６）容器を水密状態で一体にしているので、臭気が外部へ洩れることがない。
【００７３】
（７）さらに、家具やペットのアスレチックハウス内に一体化することで、インテリア性を向上させることができる。
【図面の簡単な説明】
【図１】  第１の実施の形態にかかるペット用トイレの概略図である。
【図２】  第１の実施の形態にかかるペット用トイレのその展開図である。
【図３】  第１の実施の形態にかかるペット用トイレの使用状態を示す図である。
【図４】  第２の実施の形態にかかるペット用トイレの概略図である。
【図５】  第３の実施の形態にかかるペット用トイレの概略図である。
【図６】  第４の実施の形態にかかるペット用トイレの概略図である。
【図７】  第５の実施の形態にかかるペット用トイレの概略図である。
【図８】  第５の実施の形態にかかる容器本体の概略平面図である。
【図９】  第５の実施の形態にかかる砂落としマットの概略図である。
【図１０】  第６の実施の形態にかかるペット用トイレの概略図である。
【図１１】  第７の実施の形態にかかるペット用トイレの概略図である。
【図１２】  第８の実施の形態にかかるペット用トイレの概略図である。
【図１３】  ペット用トイレの蓋部の寸法概略図である。
【図１４】  従来技術にかかるペット用トイレの概略図である。
【符号の説明】
１０  ペット用トイレ
１１  外容器
１２  開口部
１３  網状体
１４  砂
１５  内容器
１６  穴部
１７  蓋部
１８Ａ，１８Ｂ  開口部
１９  ガード部材
２０ａ  穴部
２０ｂ  細孔
２０ｃ  脚部
２０  砂落としマット
２１  空間
２２  吸水シート
２５  ネコ
【図１】
0003824887.tif 000002
【図２】
0003824887.tif 000003
【図３】
0003824887.tif 000004
【図４】
0003824887.tif 000005
【図５】
0003824887.tif 000006
【図６】
0003824887.tif 000007
【図７】
0003824887.tif 000008
【図８】
0003824887.tif 000009
【図９】
0003824887.tif 000010
【図１０】
0003824887.tif 000011
【図１１】
0003824887.tif 000012
【図１２】
0003824887.tif 000013
【図１３】
0003824887.tif 000014
【図１４】
0003824887.tif 000015